(57)【要約】【課題】引出しテーブル本体を折り畳み自在とし、この折り畳み状態の引出しテーブルを収納可能とするキッチンキャビネットの引出しテーブルを設けて、省スペースの引出しテーブルを供給することができ、しかも引出しテーブル付きのキッチンキャビネットと通常の箱型の引出しを設けたキャビネットとを隣接して配置することにより、狭い幅のキャビネット同士を効率的に配設することが可能なキッチンキャビネット装置を提供する【解決手段】キッチンキャビネット１の引出しテーブル本体２を左右方向に二分割し、該引出しテーブル本体２を水平状態から上方に１８０度回動して折り畳み自在とし、且つ該折り畳み状態の引出しテーブルを収納可能とするようにしたものである。【選択図】　図１
2004105487.tif 000002
【特許請求の範囲】
【請求項１】
引出しテーブル本体を左右方向に二分割し、該引出しテーブル本体を水平状態から上方に１８０度回動して折り畳み自在とした引出しテーブルを設け、且つ該折り畳み状態の引出しテーブルを収納可能とすることを特徴とするキッチンキャビネットの引出しテーブル。
【請求項２】
上記引出しテーブル本体を水平状態から上方に１８０度回動して折り畳み自在とした引出しテーブル部分が前方に部分的に設けられることを特徴とする請求項１に記載のキッチンキャビネットの引出しテーブル。
【請求項３】
上記引出しテーブル本体を水平状態から上方に１８０度回動して折り畳み自在とした引出しテーブル部分が前後に複数個各々分割して設けられることを特徴とする請求項１に記載のキッチンキャビネットの引出しテーブル。
【請求項４】
上記二分割された引出しテーブル本体の板厚が略同一とすることを特徴とする請求項１乃至請求項３のいづれかに記載のキッチンキャビネットの引出しテーブル。
【請求項５】
上記請求項１乃至請求項４のいづれかに記載の板状の引出しテーブルを有するキッチンキャビネットと箱状の収納用引出しを有するキッチンキャビネットとを隣接して配置することを特徴とするキッチンキャビネット装置。
【発明の詳細な説明】
【０００１】
【発明の属する技術分野】
本発明は、引出しテーブル本体を左右方向に二分割し、水平状態から上方に１８０度回動して折り畳み自在とした引出しテーブルを設け、且つこの折り畳み状態の引出しテーブルを収納可能とするキッチンキャビネットの引出しテーブル及びそのキッチンキャビネット装置に関する。
【０００２】
【従来の技術】
従来、ワークトップのシンク側がこんろ側より高位置になるように段差を設けたシステムキッチンのキャビネットにおいて、調理台の高さ調整のために従来設置していた塞ぎ板に替えてスライド式テーブルを設けることにより、デッドスペースを解消するとともに調理スペースの有効利用が図れるようにしたシステムキッチンのキャビネットが開示されている。（例えば、特許文献１参照）
【０００３】
このようなスライド式テーブルでは、テーブルをシステムキッチンの前方に引き出すものであって、このテーブル本体を左右方向に二分割し、水平状態から上方に１８０度回動して折り畳み自在としたテーブルを設けたものではない。また、最近では引出しテーブル付きのキッチンキャビネットと通常の箱型の引出しを設けたキャビネットとを隣接して配置することが多くなり、これらのキャビネットのテーブルと引出しを同時に引出し使用すると、狭い幅内で効率良くテーブルのスペースを有効利用することが必要であった。
【０００４】
【特許文献１】
特開平１１−２２５８３４号公報（第１−３頁、第１図、第２図）
【０００５】
【発明が解決しようとする課題】
本発明は、上記問題点の解決を目的とするものであり、引出しテーブル本体を折り畳み自在とし、この折り畳み状態の引出しテーブルを収納可能とするキッチンキャビネットの引出しテーブルを設けて、省スペースの引出しテーブルを供給することができ、しかも引出しテーブル付きのキッチンキャビネットと通常の箱型の引出しを設けたキャビネットとを隣接して配置することにより、狭い幅のキャビネット同士を効率的に配設することが可能なキッチンキャビネット装置を提供することをその課題とする。
【０００６】
【課題を解決するための手段】
本発明の請求項１記載のキッチンキャビネットの引出しテーブルは、引出しテーブル本体を左右方向に二分割し、該引出しテーブル本体を水平状態から上方に１８０度回動して折り畳み自在とした引出しテーブルを設け、且つ該折り畳み状態の引出しテーブルを収納可能とすることを特徴とする。
【０００７】
したがって、引出しテーブル本体が左右方向に二分割し、１８０度回動して折り畳み自在とし、折り畳み状態の引出しテーブルを収納可能とするので、引出しテーブルの収納が省スペースとなり、簡便となる。
【０００８】
本発明の請求項２記載のキッチンキャビネットの引出しテーブルは、請求項１記載の引出しテーブル本体を水平状態から上方に１８０度回動して折り畳み自在とした引出しテーブル部分が前方に部分的に設けられることを特徴とするものである。
【０００９】
したがって、引出しテーブル部分が前方に部分的に設けられるので、引出しテーブルを部分的に折り畳み可能となり、折り畳み状態で引出しテーブルを収納することが可能となり、引出しテーブルの収納が省スペースとなり、簡便となる。また、引出しテーブル付きのキッチンキャビネットと通常の箱型の引出しを設けたキャビネットとを隣接して配置する場合には、これらのキャビネットの引出しテーブルと引出しを同時に使用しても狭い幅内で効率良く交叉して衝突することもなく引出しテーブルのスペースを有効利用することができる。
【００１０】
本発明の請求項３記載のキッチンキャビネットの引出しテーブルは、請求項１記載の引出しテーブル本体を水平状態から上方に１８０度回動して折り畳み自在とした引出しテーブル部分が前後に各々分割して設けられることを特徴とする。
【００１１】
したがって、引出しテーブル部分が前後に複数個各々分割して設けられるので、テーブルを各々部分的に折り畳み可能となり、折り畳み状態で引出しテーブルを収納することが可能となる。また、引出しテーブル付きのキッチンキャビネットと通常の箱型の引出しを設けたキャビネットとを隣接して配置する場合には、これらのキャビネットのテーブルと引出しを同時に使用しても狭い幅内で効率良くテーブルのスペースを前後同時に利用することができる。
【００１２】
本発明の請求項４記載のキッチンキャビネットの引出しテーブルは、請求項１乃至請求項３のいづれかに記載の二分割された引出しテーブル本体の板厚が略同一とすることを特徴とする。
【００１３】
したがって、引出しテーブルを折畳んだ際に、テーブル高さが面一となり、使い易いものである。
【００１４】
本発明の請求項５記載のキッチンキャビネット装置は、請求項１乃至請求項４のいづれかに記載の板状の引出しテーブルを有するキッチンキャビネットと箱状の収納用引出しを有するキッチンキャビネットとを隣接して配置することを特徴とするものである。
【００１５】
したがって、引出しテーブル付きのキッチンキャビネットと通常の箱型の引出しを設けたキャビネットとを隣接して配置する場合には、これらのキャビネットの折り畳み自在のテーブルと引出しを同時に使用しても狭い幅内で効率良く交叉して衝突することもなくテーブルのスペースを有効利用することができる。
【００１６】
【発明の実施の形態】
図１乃至図５に示したように、本発明の実施形態に係わるキッチンキャビネットの引出しテーブル及びそのキッチンキャビネット装置であって、以下に説明する。
【００１７】
本発明のキッチンキャビネットの引出しテーブルＡは、図１（ａ）、（ｂ）に示したような箱状の木製、樹脂製、陶器製、金属製等のキッチンキャビネット１の引出しテーブル本体２を左右方向に二分割し、該引出しテーブル本体２を水平状態から上方に１８０度回動して折り畳み自在とし、且つ該折り畳み状態の引出しテーブルを収納可能とするようにしたものである。
【００１８】
そして、このキッチンキャビネット１の引出しテーブルＡは、引出しテーブル本体２を水平状態から上方に１８０度回動して折り畳み自在とし、引出しテーブル部分が前方に分割して部分的に設けられるものである。
【００１９】
また、この引出しテーブル本体２を水平状態から上方に１８０度回動して折り畳み自在とした引出しテーブル部分が前後に複数個各々分割して設けられることにより、引出しテーブル本体２の出入り寸法を調整できるものである。
【００２０】
さらに、この引出しテーブル本体２が回動して広い面積となるように水平状態となった引出しテーブルＡの板厚ｔを面一にすることでまな板や棚等としても使用できるものである。
【００２１】
さらにまた、上記引出しテーブルＡを有するキッチンキャビネット１と箱状の収納用引出し３を有するキッチンキャビネットＣとを隣接して配置することによって、引出しテーブルＡ付きのキッチンキャビネット１と通常の箱型の引出し３を設けたキャビネットＣとを隣接して配置する場合には、これらのキャビネットの折り畳み自在の引出しテーブルＡと引出し３とを同時に使用しても狭い幅内で効率良く交叉して衝突することもなく引出しテーブルＡのスペースを有効利用することができる。
【００２２】
以下、本発明の一実施例に係わる図１乃至図５に基づいて詳細に説明する。
図１（ａ）は、キッチンキャビネットの引出しテーブルを引き出した状態の斜視図、（ｂ）はキッチンキャビネットの引出しテーブルを回動して水平状態に開いた状態の斜視図、図２（ａ）は、本発明の異なる実施例に係わるキッチンキャビネットの複数個設けた引出しテーブルを引き出した状態の斜視図、（ｂ）はキッチンキャビネットの引出しテーブルを回動して水平状態に開いた状態の斜視図、図３は、本発明の実施例に係わるキッチンキャビネットの板状の引出しテーブルと箱状の収納用引出しを有するキッチンキャビネットとを隣接して配置して、引出しテーブルと収納用引出しとの関係を示す斜視図、図４は、本発明のキッチンキャビネットの板状の引出しテーブルを水平状態に開いた状態を示す要部の縦断面である。図５は、本発明の回動する引出しテーブルの開いた状態の要部の縦断面図である。
【００２３】
図１（ａ）、（ｂ）において、キッチンキャビネットの引出しテーブルＡは、箱状の木製、樹脂製、陶器製、金属製等のキッチンキャビネット１の内部に、キッチンキャビネット１と同材質または異なる材質の板状の引出しテーブル本体２を左右方向に二分割し、この引出しテーブル本体２を水平状態から上方に１８０度回動して折り畳み自在とし、且つこの折り畳み状態の引出しテーブルＡを手で押圧して収納可能とするようにしたものである。
【００２４】
このとき、左右方向に二分割された引出しテーブル本体２は、前方に部分的に設けられ蝶番４で回動自在にビス５で背面側に固着されている。この引出しテーブルＡは、回動自在の引出しテーブル本体２の板厚ｔがほぼ同一にして回動後、水平状態で面一になるように設定されている。尚、７は、把手６を前面側に設けた箱状の引出しである。
【００２５】
そのために、引出しテーブル本体２が左右方向に二分割し、１８０度回動して折り畳み自在とし、折り畳み状態の引出しテーブルＡを収納可能とするので、引出しテーブルＡの収納が幅が狭くなり、省スペースとなり、簡便となる。
【００２６】
そして、このキッチンキャビネット１の引出しテーブルＡは、引出しテーブル本体２を水平状態から上方に１８０度回動して折り畳み自在とし、引出しテーブル部分が前方に分割して部分的に設けられるものである。
【００２７】
また、この引出しテーブル本体２を水平状態から上方に１８０度回動して折り畳み自在とした引出しテーブル部分が前方に分割して設けられることにより、引出しテーブル本体２の出入り寸法を調整できるものである。
【００２８】
さらに、図５に示したように、この引出しテーブル本体２が回動して広い面積となるように水平状態となった引出しテーブルＡの板厚ｔを面一にすることでまな板や棚等としても使用できるものである。
【００２９】
さらに、本発明の異なる実施例に係わるキッチンキャビネット１の引出しテーブルＢは、図２（ａ）、（ｂ）に示したような箱状の木製、樹脂製、陶器製、金属製等のキッチンキャビネット１の内部に、キッチンキャビネット１と同材質または異なる材質の板状の引出しテーブル本体２を左右方向に二分割し、この引出しテーブル本体２を水平状態から上方に１８０度回動して折り畳み自在とし、且つこの折り畳み状態の引出しテーブルＢを手で押圧して収納可能とするようにしたものである。
【００３０】
このとき、左右方向に二分割された引出しテーブル本体２は、前後に各々分割して設けられ部分的に設けられるので蝶番４で回動自在にビス５で背面側に固着されている。この引出しテーブルＢは、回動自在の引出しテーブル本体２の板厚ｔがほぼ同一に形成されて回動後、水平状態で面一になるように設定されている。さらに、この引出しテーブル本体２の回動幅は、片側の略２倍に形成して、回動するようにすれば効率的である。
【００３１】
そして、このキッチンキャビネット１の引出しテーブルＢは、引出しテーブル本体２を水平状態から上方に１８０度回動して折り畳み自在とし、引出しテーブルＢ部分が前方に分割して部分的に設けられるものである。
【００３２】
また、この引出しテーブル本体２を水平状態から上方に１８０度回動して折り畳み自在とした引出しテーブルＢ部分が前後に蝶番４を複数個各々分割して設けられることにより、蝶番４の引出しテーブルＢの開状態により、引出しテーブル本体２の出入り寸法を簡単に調整できるものである。
【００３３】
さらに、図５に示したように、この引出しテーブル本体２が回動して広い面積となるように水平状態となった引出しテーブルＡの板厚を面一にすることで、まな板や棚等としても使用できるものである。
【００３４】
尚、このキッチンキャビネット１の正面側の下方には、把手６を前面側に設けた箱状の引出し７が設けられ、食器等の収納場所となる。そして、この引出しテーブルＢには、２個、３個、４個のように複数個にテーブルを分割して蝶番４で１８０度回動するようにすれば突出長さが選択され、適宜使用するスペースを確保することができる。
【００３５】
さらにまた、図３及び図４に示したように、上記引出しテーブルＡ、Ｂを有するキッチンキャビネット１と把手６を設けた箱状の収納用引出し３を有する別体のキッチンキャビネットＣとを隣接して配置することによって、板状の引出しテーブルＡ、Ｂ付きのキッチンキャビネット１と通常の箱型の引出し３を設けたキャビネットＣとを隣接して配置する場合には、これらのキッチンキャビネット１、Ｃの折り畳み自在の引出しテーブルＡ、Ｂと引出し３とを同時に使用しても狭い幅内で効率良く交叉して衝突することもなく引出しテーブルＡのスペースを有効利用することができる。
【００３６】
このとき、箱状の収納用引出し３を有するキッチンキャビネットＣの収納用引出し３は、隣に配設された引出しテーブルＡを有するキッチンキャビネットＢとの配置関係で、引出しテーブルＡ、Ｂを引き出した後に水平状態に回動する際に、この回動して開いた側の引出しテーブルＡ、ＢがキッチンキャビネットＣの収納用引出し３の前面側に接触しないように適宜位置で止めてまな板や棚等に使用すればよいものである。
【００３７】
【発明の効果】
上述の如く、本発明の請求項１記載のキッチンキャビネットの引出しテーブルは、引出しテーブル本体を左右方向に二分割し、この引出しテーブル本体を水平状態から上方に１８０度回動して折り畳み自在とした引出しテーブルを設け、且つこの折り畳み状態の引出しテーブルを収納可能としているので、引出しテーブルの収納が省スペースとなり、簡便となる。
【００３８】
本発明の請求項２記載のキッチンキャビネットの引出しテーブルは、引出しテーブル本体を水平状態から上方に１８０度回動して折り畳み自在とした引出しテーブル部分が前方に部分的に設けられているので、引出しテーブルを部分的に折り畳み可能となり、折り畳み状態で引出しテーブルを収納することが可能となり、引出しテーブルの収納が省スペースとなり、簡便となる。また、引出しテーブル付きのキッチンキャビネットと通常の箱型の引出しを設けたキャビネットとを隣接して配置する場合には、これらのキャビネットのテーブルと引出しを同時に使用しても狭い幅内で効率良く交叉して衝突することもなくテーブルのスペースを有効利用することができる。
【００３９】
本発明の請求項３記載のキッチンキャビネットの引出しテーブルは、引出しテーブル本体を水平状態から上方に１８０度回動して折り畳み自在とした引出しテーブル部分が前後に各々分割して設けられているので、引出しテーブルを各々部分的に折り畳み可能となり、折り畳み状態で引出しテーブルを収納することが可能となる。また、引出しテーブル付きのキッチンキャビネットと通常の箱型の引出しを設けたキャビネットとを隣接して配置する場合には、これらのキャビネットの引出しテーブルと箱状の引出しを同時に使用しても狭い幅内で効率良く引出しテーブルのスペースを前後同時に利用することができる。
【００４０】
本発明の請求項４記載のキッチンキャビネットの引出しテーブルは、二分割された引出しテーブル本体の板厚が略同一なので、引出しテーブルを折畳んだ際に、テーブル高さが面一となり、使い易いものである。
【００４１】
本発明の請求項５記載のキッチンキャビネット装置は、板状の引出しテーブルを有するキッチンキャビネットと箱状の収納用引出しを有するキッチンキャビネットとを隣接して配置しても、これらのキャビネットの折り畳み自在のテーブルと引出しを同時に使用しても狭い幅内で効率良く交叉して衝突することもなく引出しテーブルのスペースを有効利用することができる。
【図面の簡単な説明】
【図１】（ａ）は、本発明の一実施例に係わるキッチンキャビネットの引出しテーブルを引き出した状態の斜視図、（ｂ）はキッチンキャビネットの引出しテーブルを回動して水平状態に開いた状態の斜視図である。
【図２】（ａ）は、本発明の異なる実施例に係わるキッチンキャビネットの複数個設けた引出しテーブルを引き出した状態の斜視図、（ｂ）はキッチンキャビネットの引出しテーブルを回動して水平状態に開いた状態の斜視図である。
【図３】本発明の実施例に係わるキッチンキャビネットの板状の引出しテーブルと箱状の収納用引出しを有するキッチンキャビネットとを隣接して配置して、引出しテーブルと収納用引出しとの関係を示す斜視図である。
【図４】本発明の異なる実施例に係わるキッチンキャビネットの板状の引出しテーブルと箱状の収納用引出しを有するキッチンキャビネットとを隣接して配置して、引出しテーブルと収納用引出しとの関係を示す斜視図である。
【図５】本発明の回動する引出しテーブルの開いた状態の要部の縦断面図である。
【符号の説明】
Ａ　　　引出しテーブル
Ｂ　　　引出しテーブル
Ｃ　　　キッチンキャビネット
１　　　キッチンキャビネット
２　　　引出しテーブル本体
３　　　収納用引出し
４　　　蝶番
５　　　ビス
６　　　把手
【図１】
2004105487.tif 000003
【図２】
2004105487.tif 000004
【図３】
2004105487.tif 000005
【図４】
2004105487.tif 000006
【図５】
2004105487.tif 000007